【手続補正書】
【提出日】平成20年11月25日(2008.11.25)
【手続補正１】
【補正対象書類名】特許請求の範囲
【補正対象項目名】全文
【補正方法】変更
【補正の内容】
【特許請求の範囲】
【請求項１】
ゴム材料の、湿潤路面に対する湿潤摩擦力を評価する方法であって、
ゴム材料の湿潤摩擦力をＦとするとき、湿潤摩擦力Ｆは、第１の摩擦力Ｆh、第２の摩擦力Ｆa及び係数Ehlを用いて下記式（１）で表され、
ゴム材料が路面に対して滑るときに発生する第１の摩擦力Ｆhを、湿潤路面のプロファイルから求めるステップと、
ゴム材料が路面と粘着するときに発生する第２の摩擦力Ｆaを、湿潤路面のプロファイルから求めるステップと、
湿潤摩擦力Ｆの計測結果から前記第１の摩擦力Ｆhを減算することにより下記式（１）中の（１−Ehl  ）・Ｆa  を求め、この値と求めた前記第２の摩擦力Ｆaとを用いて、ゴム材料と路面との間に水膜が介在することにより、湿潤摩擦力における前記第２の摩擦力の寄与を低下させる係数Ehlを求めるステップと、を有し、
前記第１の摩擦力Ｆa、前記第２の摩擦力Ｆh及び前記係数Ehlを用いて、湿潤摩擦力を評価する湿潤路面上のゴム材料の摩擦特性評価方法。
Ｆ  ＝  （１−  Ehl  ）・Ｆa  ＋  Ｆh                  （１）
【請求項２】
前記係数Ehlは、湿潤路面のレプリカ路面上でゴム材料を摺動させて計測された湿潤摩擦力Ｆの計測結果を用いて求められるものであり、予め設けられた基準凹凸路面における前記係数Ehlを０としたときの値である請求項１に記載の湿潤路面上のゴム材料の摩擦特性評価方法。
【請求項３】
前記第２の摩擦力Ｆaは、湿潤路面のプロファイル形状における突起の平均直径をＤとし、ゴム材料の弾性係数をＥとしたとき、下記式（２）で算出される請求項１又は２に記載の湿潤路面上のゴム材料の摩擦特性評価方法。
Ｆa  ＝  ｋ・（Ｄ／Ｅ）（２／３）                          （２）
但し、ｋは定数である。
【請求項４】
前記第１の摩擦力Ｆhは、湿潤路面のプロファイル形状における突起１個に作用する平均荷重をＷ、ゴム材料の弾性係数をＥ、ゴム材料の損失正接をtanδ、前記突起の平均先端半径をｒとしたとき、下記式（３）で算出される請求項１〜３のいずれかに記載の湿潤路面上のゴム材料の摩擦特性評価方法。
Ｆh    ＝  ｆ（tanδ）・（Ｗ／Ｅ）（１／４）・ｒ−３／４        （３）
但し、ｆ（tanδ）は、tanδの高次の多項式である。
【手続補正２】
【補正対象書類名】明細書
【補正対象項目名】０００８
【補正方法】変更
【補正の内容】
【０００８】
本発明は、ゴム材料の、湿潤路面に対する湿潤摩擦力を評価する方法であって、
ゴム材料の湿潤摩擦力をＦとするとき、湿潤摩擦力Ｆは、第１の摩擦力Ｆh、第２の摩擦力Ｆa及び係数Ehlを用いて下記式（１）で表され、ゴム材料が路面に対して滑るときに発生する第１の摩擦力Ｆhを、湿潤路面のプロファイルから求めるステップと、ゴム材料が路面と粘着するときに発生する第２の摩擦力Ｆaを、湿潤路面のプロファイルから求めるステップと、湿潤摩擦力Ｆの計測結果から前記第1の摩擦力Ｆhを減算することにより下記式（１）中の（１−Ehl  ）・Ｆa  を求め、この値と求めた前記第２の摩擦力Ｆaとを用いて、ゴム材料と路面との間に水膜が介在することにより、湿潤摩擦力における前記第２の摩擦力の寄与を低下させる係数Ehlを求めるステップと、を有し、前記第１の摩擦力Ｆa、前記第２の摩擦力Ｆh及び前記係数Ehlを用いて、湿潤摩擦力を評価する湿潤路面上のゴム材料の摩擦特性評価方法を提供する。
Ｆ  ＝  （１−  Ehl  ）・Ｆa  ＋  Ｆh                  （１）
【手続補正３】
【補正対象書類名】明細書
【補正対象項目名】０００９
【補正方法】変更
【補正の内容】
【０００９】
その際、前記係数Ehlは、湿潤路面のレプリカ路面上でゴム材料を摺動させて計測された湿潤摩擦力Ｆの計測結果を用いて求められるものであり、予め設けられた基準凹凸路面の前記係数Ehlを０としたときの値であることが好ましい。
さらに、前記第２の摩擦力Ｆaは、湿潤路面のプロファイル形状における突起の平均直径をＤとし、ゴム材料の弾性係数をＥとしたとき、下記式（２）で算出されることが好ましい。
Ｆa  ＝  ｋ・（Ｄ／Ｅ）（２／３）                          （２）
但し、ｋは定数である。
【手続補正４】
【補正対象書類名】明細書
【補正対象項目名】００１８
【補正方法】変更
【補正の内容】
【００１８】
次に、サンプル摩擦試験機１６から供給されるゴム材料の湿潤路面での計測結果である摩擦力Ｆが取得される。摩擦力Ｆは、温度、荷重、スリップ率が制御されて得られた計測値である。この計測値である摩擦力Ｆは、下記式（１）を満たすものとして、摩擦力Ｆから第１の摩擦力Ｆhを減算して（１−  Ehl  ）・Ｆa  の値を求めるために用いられる。
なお、ゴム材料が湿潤路面上を転動するとき、乾燥路面を転動するときゴム材料が路面と粘着する粘着領域には、水膜が進入して部分的に摩擦力の発生しない潤滑領域が生成する。この潤滑領域の、粘着領域に対する比率が、下記式（１）中の係数Ehlに対応する。
Ｆ  ＝  （１−  Ehl  ）・Ｆa  ＋  Ｆh                    （１）
【手続補正５】
【補正対象書類名】明細書
【補正対象項目名】００２０
【補正方法】変更
【補正の内容】
【００２０】
係数Ehlは、図３に示すように、ゴム材料と路面との間に水膜が介在することによって、湿潤摩擦力Ｆにおける第２の摩擦力Ｆaの寄与を低下させる粘着領域に対する潤滑領域の比率である。路面の凹凸の高低が激しく、しかも突起の先端半径の平均値が小さい場合、水膜は路面の凹部にたまり、ゴム材料と接触する凸部に水膜は存在しない。すなわち、このときのゴム材料と路面の凸部との接触部分には潤滑領域は存在せず、したがって係数Ehl＝０となる。
【手続補正６】
【補正対象書類名】明細書
【補正対象項目名】００２１
【補正方法】変更
【補正の内容】
【００２１】
例えば、＃２４０の研磨紙の場合、突起の凹凸の高低が激しく、しかも突起の先端半径の平均値が小さいため、係数Ehlは略０といえる。したがって、＃２４０の研磨紙の路面（基準凹凸路面）における係数Ehl＝０として、定数ｋを求めることができる。つまり、サンプル摩擦試験機１６にて計測された＃２４０の研磨紙における摩擦力Ｆから上記式（３）を用いて算出した第1の摩擦力Ｆhを減算して得られる差分は、式（１）中の（１−  Ehl  ）・Ｆaであるが、このとき係数Ehlは上述したように０である。このため、上記差分は第２の摩擦力Ｆaそのものとなる。この第２の摩擦力Ｆaは上記式（２）で表されるので、定数ｋを算出することができる。
【手続補正７】
【補正対象書類名】明細書
【補正対象項目名】００２３
【補正方法】変更
【補正の内容】
【００２３】
こうして求められた第１の摩擦力Ｆh、第２の摩擦力Ｆa、係数Ehlの値をディスプレイに表示し、ゴム材料における第1の摩擦力Ｆh、第２の摩擦力Ｆa、さらには、粘着領域内における潤滑領域の程度を表す係数Ehlを用いて評価することができる。評価結果は、ディスプレイ１８又はプリンタ２２に出力される。
例えば、評価しようとするゴム材料の第１の摩擦力Ｆhは、比較対象のゴム材料の第１の摩擦力と同等であるが、第２の摩擦力Ｆaは、比較対象のゴム材料の第２の摩擦力に比べて大きく、さらに係数Ehlは比較対象のゴム材料の係数Ehlに比べて小さく、水膜が突起に進入しにくいゴム材料である旨の評価が、コンピュータ１０にて行われる。さらには、上述した＃２４０の研磨紙の表面を路面としたときのゴム材料の第１の摩擦力Ｆh、第２の摩擦力Ｆa及び係数Ehlと、＃２４０の研磨紙を研削した後の表面を路面としたときのゴム材料の第１の摩擦力Ｆh、第２の摩擦力Ｆa及び係数Ehlと、を用いて、評価しようとするゴム材料においてどの摩擦力又は係数に大きな差異があるかを判別することができ、ゴム材料の路面依存性についても評価することができる。
【手続補正８】
【補正対象書類名】明細書
【補正対象項目名】００２５
【補正方法】変更
【補正の内容】
【００２５】
【表１】
2007163142.tif 000001